(57)【要約】【課題】  丸編み機のカム調整装置の提供。【解決手段】  斜面（６１）を具えた鞍板（６）に取り付けられる丸編み機のカム調整装置であり、シンカキャップ（２）と調整ブロック（２３）及び調整機構を具え、該シンカキャップ（２）は分離不能な固定ブロック（２２）とカム（２１）を具え、該固定ブロック（２２）が傾斜面（２６）を具え、並びに活動可能な方式で該鞍板（６）に取り付けられ、該調整ブロック（２３）はシンカキャップ（２）の底部に設けられ、該調整機構は、該鞍板（６）に取り付けられ、該調整ブロック（２３）に螺合するスクリュー（３１６）と、スクリュー（３１６）位置を固定する固定ピン（３２）を具え、該シンカキャップ（２）を駆動して微量の移動を行なわせる。【選択図】        図２
2005240193.tif 000002
【特許請求の範囲】
【請求項１】
斜面（６１）を具えた鞍板（６）に取り付けられる丸編み機のカム調整装置であり、
シンカキャップ（２）と調整ブロック（２３）及び調整機構を具え、
該シンカキャップ（２）は分離不能な固定ブロック（２２）とカム（２１）を具え、該固定ブロック（２２）が傾斜面（２６）を具え、並びに活動可能な方式で該鞍板（６）に取り付けられ、
該調整ブロック（２３）はシンカキャップ（２）の底部に設けられ、
該調整機構は、該鞍板（６）に取り付けられ、該調整ブロック（２３）に螺合するスクリュー（３１６）と、スクリュー（３１６）位置を固定する固定ピン（３２）を具え、該シンカキャップ（２）を駆動して微量の移動を行なわせることを特徴とする、丸編み機のカム調整装置。
【請求項２】
請求項１記載の丸編み機のカム調整装置において、スクリュー（３１６）の一端に調整輪（３１）が設けられ、該調整輪（３１）の上端に内六角孔（３１１）と目盛り盤（３１２）が設けられてその回転の変化量を表示し、該目盛り盤（３１２）の下方に歯車環（３１３）と、該歯車環（３１３）との間に環状空間（３１４）を有する環部（３１５）が接続され、固定ピン（３２）の一端がシンカキャップ（２）に固定され、もう一端が該環状空間（３１４）に当接されたことを特徴とする、丸編み機のカム調整装置。
【請求項３】
請求項１記載の丸編み機のカム調整装置において、調整ブロック（２３）の一端に延伸凸塊（２３１）が設けられてスクリュー（３１６）が通されることを特徴とする、丸編み機のカム調整装置。
【請求項４】
請求項２記載の丸編み機のカム調整装置において、シンカキャップ（２）にあって調整輪（３１）の歯車環（３１３）に対応する位置に、歯車環（３１３）と接触し且つ弾性手段（４１）と接合されたビーズ（４）が設けられ、ビーズ（４）の恒常的な歯車環（３１３）と接触が保持されたことを特徴とする、丸編み機のカム調整装置。
【請求項５】
請求項１記載の丸編み機のカム調整装置において、スクリュー（３１６）に弾性手段（３１７）が嵌合され、該弾性手段（３１７）がスクリュー（３１６）が通された鞍板（６）側面と該調整ブロック（２３）の間に位置して弾性抵抗を提供することで、スクリュー（３１６）回転時の誤差が減らされたことを特徴とする、丸編み機のカム調整装置。
【発明の詳細な説明】
【技術分野】
【０００１】
本発明は一種の丸編み機のカム調整装置に係り、特に、カムを調整して微量に移動させるのに用いられる丸編み機のカム調整装置に関する。
【背景技術】
【０００２】
周知のカム調整装置は、スライドブロックが鞍座本体に設けられ、スライドブロック底部がバネにより付勢され、上部にストッパ片が設けられ、且つカムがスライドブロックに螺設され、さらに調整ボルトによりスライドブロックが固定されている。このようなカム調整装置はカムと編針のべろの対応高度を調整するとき、ストッパ片と調整ボルトをゆるめ、並びに目視方式でスライドブロックの上下位置を調整後に、ストッパ片と調整ボルトをそれぞれ締めつける必要がある。しかし丸編み機のカム調整装置は数百個にもなり、このため上述のステップを一々行なうのは非常に面倒であり、且つ目視によるカム調整は不正確であり、調整に時間がかかる。
【０００３】
また周知のカム調整装置は、図１に示されるように、鞍座１１、鞍座１１に設けられて複数のカム１６が螺子止めされたスライドブロック１２、鞍座１１の上端に配置されてネジ山を具えた微調整部１３、鞍座１１の下端の限位ブロック１４とスライドブロック１２の間に配置されたバネ１５を具えている。
【０００４】
そのうち、微調整部１３の一端の案内斜面１３１はスライドブロック１２の凹溝１２１中に延伸され、並びに凹溝１２１の案内斜面１２１１と面接触を保持し、微調整部１３が回される時、微調整部１３はそのねじ山に沿って鞍座１１より突出し、この時微調整部１３がスライドブロック１２に突き合わされ、微調整部１３の一端の一端の案内斜面１３１とスライドブロック１２の案内斜面１２１に押圧を形成させ、これによりスライドブロック１２を微調整部１３の案内斜面１３１に沿って下向きに移動させる。微調整部１３が反対に回せる時は、微調整部１３の案内斜面１３１とスライドブロック１２の案内斜面１２１１が、鞍座１１下端に配置された限位ブロック１４とスライドブロック１２間のバネ１５により、スライドブロック１２を微調整部１３の案内斜面１３１に沿って上向きに移動させる。
【０００５】
周知のカム調整装置は、鞍座１１下端の限位ブロック１４とスライドブロック１２間に配置さたバネ１５が、長時間にスライドブロック１２と限位ブロック１４の押圧により、弾性疲労を発生しやすく、これによりスライドブロック１２の回復動作の調整を行なう時、正確な位置決めが行なえず、丸編み機に不良な製品を形成させた。
【０００６】
別の周知のカム調整装置は、特許文献１に記載され、それは、スライドブロックと鞍座間に第１と第２調整ブロックが設けられ、そのうち第１調整ブロックは微調整輪により鞍座に配置され、第２調整ブロックはスライドブロックに螺設され、この周知のカム調整装置は、微調整輪を回して第１調整ブロックに水平移動を発生させて、第１調整ブロックの案内斜面と第２調整ブロックの案内斜面を相互に圧迫させ、これによりスライドブロックを下に移動させることができ、微調整輪を反対方向に回すと、第１調整ブロックの別の案内斜面とスライドブロック内の案内斜面が相互に圧迫を形成し、これによりスライドブロックを上に移動させることができる。
【０００７】
しかしこのような周知のカム調整装置は、微調整輪を回してそれにより第１調整ブロックの案内斜面と第２調整ブロックの案内斜面に相互の圧迫を形成させる必要があり、差異シュア雨滴に第２調整ブロックによりスライドブロックを駆動して下に移動させる。第２調整ブロックによるスライドブロックの駆動のプロセスが必要であり、直接スライドブロックを移動させることができないため、調整時の誤差が大きくなり、且つこの周知のカム調整装置の構造は複雑で生産製造に不利である。
【０００８】
【特許文献１】台湾特許公告第４９１２９８号明細書
【発明の開示】
【発明が解決しようとする課題】
【０００９】
本発明の主要な目的は、上述の欠点を解決し、欠点の存在を無くすことにあり、即ち、本発明はカム調整装置を提供し、それはカムを正確な位置に移動させて部品間の相対運動、ねじれ或いは衝突を防止して製品への影響を防止し、丸編み機の編成過程を更に順調に正確とする装置とする。
【００１０】
本発明の丸編み機のカム調整装置は、斜面を具えた鞍板に取り付けられ、シンカキャップと調整ブロック及び調整機構を具え、該シンカキャップは分離不能な固定ブロックとカムを具え、該固定ブロックが傾斜面を具え、並びに活動可能な方式で該鞍板に取り付けられ、該調整ブロックはシンカキャップの底部に設けられ、該調整ブロックは該調整機構によりシンカキャップを駆動し微量の移動を行なわせる。
【００１１】
上述の調整機構は、上述の調整ブロックに螺合するスクリューと、スクリュー位置を固定する固定ピンを具え、且つスクリューの一端に調整輪が設けられ、該調整輪の上端に内六角孔と目盛り盤が設けられてその回転の変化量を表示し、該目盛り盤の下方に歯車環と、該歯車環との間に環状空間を有する環部が接続されている。
【００１２】
上述の調整輪の目盛り盤により、調整輪を回転させる時、目盛り盤の回転する目盛りに依りその他の調整輪を同じ目盛りに調整することができ、目視の方式での判断でなく、各カムを正確な位置に調整できる。
【課題を解決するための手段】
【００１３】
請求項１の発明は、斜面（６１）を具えた鞍板（６）に取り付けられる丸編み機のカム調整装置であり、
シンカキャップ（２）と調整ブロック（２３）及び調整機構を具え、
該シンカキャップ（２）は分離不能な固定ブロック（２２）とカム（２１）を具え、該固定ブロック（２２）が傾斜面（２６）を具え、並びに活動可能な方式で該鞍板（６）に取り付けられ、
該調整ブロック（２３）はシンカキャップ（２）の底部に設けられ、
該調整機構は、該鞍板（６）に取り付けられ、該調整ブロック（２３）に螺合するスクリュー（３１６）と、スクリュー（３１６）位置を固定する固定ピン（３２）を具え、該シンカキャップ（２）を駆動して微量の移動を行なわせることを特徴とする、丸編み機のカム調整装置としている。
請求項２の発明は、請求項１記載の丸編み機のカム調整装置において、スクリュー（３１６）の一端に調整輪（３１）が設けられ、該調整輪（３１）の上端に内六角孔（３１１）と目盛り盤（３１２）が設けられてその回転の変化量を表示し、該目盛り盤（３１２）の下方に歯車環（３１３）と、該歯車環（３１３）との間に環状空間（３１４）を有する環部（３１５）が接続され、固定ピン（３２）の一端がシンカキャップ（２）に固定され、もう一端が該環状空間（３１４）に当接されたことを特徴とする、丸編み機のカム調整装置としている。
請求項３の発明は、請求項１記載の丸編み機のカム調整装置において、調整ブロック（２３）の一端に延伸凸塊（２３１）が設けられてスクリュー（３１６）が通されることを特徴とする、丸編み機のカム調整装置としている。
請求項４の発明は、請求項２記載の丸編み機のカム調整装置において、シンカキャップ（２）にあって調整輪（３１）の歯車環（３１３）に対応する位置に、歯車環（３１３）と接触し且つ弾性手段（４１）と接合されたビーズ（４）が設けられ、ビーズ（４）の恒常的な歯車環（３１３）と接触が保持されたことを特徴とする、丸編み機のカム調整装置としている。
請求項５の発明は、請求項１記載の丸編み機のカム調整装置において、スクリュー（３１６）に弾性手段（３１７）が嵌合され、該弾性手段（３１７）がスクリュー（３１６）が通された鞍板（６）側面と該調整ブロック（２３）の間に位置して弾性抵抗を提供することで、スクリュー（３１６）回転時の誤差が減らされたことを特徴とする、丸編み機のカム調整装置としている。
【発明の効果】
【００１４】
本発明は、周知の技術の欠点を解決し、欠点の存在を無くしており、本発明はカム調整装置を提供し、それはカムを正確な位置に移動させて部品間の相対運動、ねじれ或いは衝突を防止して製品への影響を防止し、丸編み機の編成過程を更に順調に正確とすることができる。
【発明を実施するための最良の形態】
【００１５】
図２、３は本発明の立体外観図である。本発明は調整機構により、シンカキャップ２を駆動して微量の移動を行なわせることができ、該調整機構はスクリュー３１６とスクリュー３１６位置を固定する固定ピン３２を具え、そのうち、スクリュー３１６の一端に調整輪３１が設けられ、該調整輪３１の上端に内六角孔３１１と目盛り盤３１２が設けられ、該内六角孔３１１により調整輪３１を六角スパナを利用して回転させることができ、該目盛り盤３１２によりその回転の変化量を標示できる。該目盛り盤３１２の下方に歯車環３１３と、歯車環３１３との間に環状空間３１４を有する環部３１５が接続されている。上述の固定ピン３２の一端はシンカキャップ２に固定され、もう一端は環状空間３１４に当接しスクリュー３１６の位置を固定し、これにより調整輪３１が回される時、スクリュー３１６が相対移動を発生しない。
【００１６】
シンカキャップ２は分離不能なカム２１と固定ブロック２２で構成され、シンカキャップ２の底部凹溝２５に調整ブロック２３が設けられ、該調整ブロック２３が延伸凸塊２３１を具えている。シンカキャップ２の固定ブロック２２に長円孔２４が設けられ、並びにボルト５により活動可能な方式で鞍板６に固定される（図４）。スクリュー３１６が調整ブロック２３の延伸凸塊２３１に通されることで、調整輪３１が回される時、スクリュー３１６により調整ブロック２３が相対移動を形成し、これによりシンカキャップ２が移動する。
【００１７】
このほか、シンカキャップ２にあって調整輪３１の歯車環３１３に対応する位置に、歯車環３１３と接触するビーズ４が設けられ、該ビーズ４は弾性手段４１（バネとされうる）の一端と接合され、弾性手段４１の別端はシンカキャップ２に固定され、調整輪３１が回される時、シンカキャップ２に配置されたビーズ４が弾性手段３１の付勢により恒常的に歯車環３１３の歯部と係合し、操作者が調整輪３１を一目盛り回すと一つの歯部からもう一つの歯部に移動し、これにより目盛り盤３１２による調整の正確性が確保されている。
【００１８】
図４、５に示されるように、本発明のシンカキャップ２は斜面６１を具えた鞍板６に取り付けられ、シンカキャップ２の固定ブロック２２もまた傾斜面２６を具えて鞍板６の斜面６１に組み合わされ、これによりシンカキャップ２と鞍板６が緊密に組み合わされ、調整動作時に、シンカキャップ２が鞍板６上で平穏な移動を形成する。図３に示されるように、長円孔２４に固定されたボルト５をゆるめ、さらに六角スパナを調整輪３１の内六角孔３１１に差し込んで調整輪３１を回すと、固定ピン３２の一端がシンカキャップ２に固定され、もう一端が環状空間３１４に当接してスクリュー３１６を固定しているため、調整輪３１回転時に、スクリュー３１６が固定ピン３２により固定されており、調整ブロック２３がスクリュー３１６のネジ山に沿って移動し、調整ブロック２３がスクリュー３１６上で前後に移動する。これによりシンカキャップ２に微量の移動を形成させ、シンカキャップ２のカム２１の微量調整を達成する。
【００１９】
さらにスクリュー３１６に弾性手段３１７が嵌合され（バネとされうる）、この弾性手段３１７がスクリュー３１６が通された鞍板６側面と該調整ブロック２３の間に位置して弾性抵抗を提供することで、調整輪３１を回す時に調整ブロック２３がスクリュー３１６上で過多の前後移動を形成するのを防止し、スクリュー３１６回転時の誤差を減らすことができる。
【図面の簡単な説明】
【００２０】
【図１】周知のカム調整装置の構造表示図である。
【図２】本発明の立体外観図である。
【図３】本発明の別方向の立体外観図である。
【図４】本発明の使用動作図である。
【図５】本発明の使用動作図である。
【符号の説明】
【００２１】
２  シンカキャップ
３１６  スクリュー
３２  固定ピン
３１  調整輪
３１１  内六角孔
３１２  目盛り盤
３１３  歯車環
３１４  環状空間
３１５  環部
２１  カム
２２  固定ブロック
２５  底部凹溝
２３  調整ブロック
２３１  延伸凸塊
２４  長円孔
５  ボルト
６  鞍板
４  ビーズ
４１  弾性手段
６１  斜面
２６  傾斜面
３１７  弾性手段
【図１】
2005240193.tif 000003
【図２】
2005240193.tif 000004
【図３】
2005240193.tif 000005
【図４】
2005240193.tif 000006
【図５】
2005240193.tif 000007